(57)【要約】  情報を記録する装置が、各々が公称ランレングスを持つようなマーク及びスペースを書き込み及び読み取る。放射源のパワーは、マーク及びスペースを上記ランレングスに依存するようなパワーパターンに従って書き込むように制御される。長ランレングスのマークに対するパワーパターンは、書込パワーを持つ少なくとも３つのパルスと、これらパルスの間のバイアスパワーを持つ少なくとも１つの第１中間期間と、これらパルスの間の低減されたバイアスパワーを持つ少なくとも１つの第２中間期間とを有し、該少なくとも１つの第２中間期間は、当該パワーパターンにおける最終パルスの前の中間期間を含む。該低減されたバイアスパワーにより、長いマーク及びスペースの後の次のマークの開始における事前加熱が低減される。
2007507823.tif 000002
【特許請求の範囲】
【請求項１】
記録担体上のトラックに情報を記録する装置において、
−  マーク及びこれらマークの間のスペースの書き込みのために放射源から放射のビームを発生するヘッドであって、前記マーク及びスペースは所定ビット数の公称ランレングスを各々有し、前記マークは前記情報を表すために複数の異なるランレングスを有し、これら異なるランレングスは或るランレングス範囲内にあり、該範囲は少なくとも１つの短ランレングス及び該短ランレングスより長い少なくとも１つの長ランレングスを含むようなヘッドと、
−  前記書き込みの間における前記放射源のパワーを前記ランレングスに依存するパワーパターンに従って制御する放射源制御手段と、
を有し、前記長ランレングスのマークに対する前記パワーパターンが、
−  書込パワーを持つ少なくとも３つのパルスと、
−  これらパルスの間の、バイアスパワーを持つ少なくとも１つの第１中間期間と、
−  前記パルスの間の、低減されたバイアスパワーを持つ少なくとも１つの第２中間期間であって、該少なくとも１つの第２中間期間が当該パワーパターンにおける最終パルスの前の中間期間を含むような少なくとも１つの第２中間期間と、
を有することを特徴とする装置。
【請求項２】
請求項１に記載の装置において、前記低減されたバイアスパワーが前記ランレングスに依存して徐々に低減されるか、又は前記低減されたバイアスパワーが少なくとも２つの低減されたバイアスパワーレベルを有することを特徴とする装置。
【請求項３】
請求項１に記載の装置において、前記低減されたバイアスパワーが、当該パワーパターンの開始又は終了に対して所定の時点から適用されることを特徴とする装置。
【請求項４】
請求項１に記載の装置において、前記長ランレングスが前記ランレングス範囲内における最小ランレングスの略２倍であることを特徴とする装置。
【請求項５】
請求項２に記載の装置において、前記ランレングス範囲内の最小ランレングスが３ランレングス単位であり、前記長ランレングスが７ランレングス単位であることを特徴とする装置。
【請求項６】
請求項１に記載の装置において、前記パルス及び中間期間のデューティサイクルは略５０％であり、前記バイアスパワーは前記書込パワーの４０％と５０％との間であり、前記低減されたバイアスパワーは前記書込パワーの２０％と３５％との間であり、特には、前記バイアスパワーは前記書込パワーの略４５％であり、前記低減されたバイアスパワーは前記書込パワーの略３０％であることを特徴とする装置。
【請求項７】
請求項１に記載の装置において、スペースに対する前記パワーパターンが、冷却パワーを持つような冷却期間を有し、前記冷却パワーが特には前記書込パワーの１％未満であることを特徴とする装置。
【請求項８】
記録担体上のトラックに情報を記録する間に放射源のパワーを制御する方法において、
−  マーク及びこれらマークの間のスペースを書き込むステップであって、前記マーク及びスペースは所定ビット数の公称ランレングスを各々有し、前記マークは前記情報を表すために複数の異なるランレングスを有し、これら異なるランレングスは或るランレングス範囲内にあり、該範囲は少なくとも１つの短ランレングス及び該短ランレングスより長い少なくとも１つの長ランレングスを含むようなステップと、
−  前記書き込むステップの間に前記放射源のパワーを前記ランレングスに依存するパワーパターンに従って制御するステップと、
を有し、前記長ランレングスのマークに対する前記パワーパターンが、
−  書込パワーを持つ少なくとも３つのパルスと、
−  これらパルスの間の、バイアスパワーを持つ少なくとも１つの第１中間期間と、
−  前記パルスの間の、低減されたバイアスパワーを持つ少なくとも１つの第２中間期間であって、該少なくとも１つの第２中間期間が当該パワーパターンにおける最終パルスの前の中間期間を含むような少なくとも１つの第２中間期間と、
を有することを特徴とする方法。
【請求項９】
情報を記録するためのトラックを有する記録可能型の記録担体において、前記記録が、
−  マーク及びこれらマークの間のスペースを書き込むステップであって、前記マーク及びスペースは所定ビット数の公称ランレングスを各々有し、前記マークは前記情報を表すために複数の異なるランレングスを有し、これら異なるランレングスは或るランレングス範囲内にあり、該範囲は少なくとも１つの短ランレングス及び該短ランレングスより長い少なくとも１つの長ランレングスを含むようなステップと、
−  前記書き込むステップの間に前記放射源のパワーを前記ランレングスに依存するパワーパターンに従って制御するステップと、
を有し、
前記長ランレングスのマークに対する前記パワーパターンが、
−  書込パワーを持つ少なくとも３つのパルスと、
−  これらパルスの間の、バイアスパワーを持つ少なくとも１つの第１中間期間と、
−  前記パルスの間の、低減されたバイアスパワーを持つ少なくとも１つの第２中間期間であって、該少なくとも１つの第２中間期間が当該パワーパターンにおける最終パルスの前の中間期間を含むような少なくとも１つの第２中間期間と、
を有し、
当該記録担体が前記低減されたバイアスパワーを設定するための制御情報を有することを特徴とする記録担体。
【発明の詳細な説明】
【技術分野】
【０００１】
本発明は、記録担体上のトラックに情報を記録する装置であって、該装置がマーク及び斯かるマークの間のスペースを書き込むために放射源から放射ビームを発生するヘッドを有し、これらマーク及びスペースは所定ビット数の公称ランレングスを各々有し、上記マークは前記情報を表すために複数の異なるランレングスを有し、斯かる異なるランレングスは或るランレングス範囲内にあり、該範囲が少なくとも１つの短ランレングスと該短ランレングスより長い少なくとも１つの長ランレングスを含んでいるような装置に関する。
【０００２】
本発明は、更に、記録担体上のトラックへの情報の記録の間に放射源のパワーを制御する方法であって、該方法が、マーク及び斯かるマークの間のスペースを書き込むステップを有し、これらマーク及びスペースは所定ビット数の公称ランレングスを各々有し、上記マークは前記情報を表すために複数の異なるランレングスを有し、斯かる異なるランレングスは或るランレングス範囲内にあり、該範囲が少なくとも１つの短ランレングスと該短ランレングスより長い少なくとも１つの長ランレングスを含んでいるような方法にも関する。
【０００３】
本発明は、更に、記録可能型の記録担体にも関する。
【背景技術】
【０００４】
記録担体上に情報を記録する方法及び装置は、国際特許出願公開第WO01/86643号から既知である。該記録担体は記録可能型であり、情報を記録するためのトラック（例えばウォブリングされた事前形成溝により示されるディスク状担体上の螺旋）を有している。該装置は、記録担体を回転させるための駆動ユニットを有している。上記トラックを走査するために、当該記録担体が回転される間に、光ヘッドが位置決めユニットにより該トラックに対向して位置決めされる。該ヘッドは、マーク及び中間のスペースを書き込むために放射ビームを発生するレーザ及び光学エレメントを有している。マーク又はスペースの長さは、通常“ランレングス”と呼ばれビットで測定されるような所定単位数の長さの公称値を有し、これらマーク及びスペースは、当該情報を変調コードに従ってデジタル的に表すための記録されたパターンを構成する。該装置は、書き込みの間においてレーザパワーを所望の値に制御するための制御ユニットを有している。マークに対するパワーは、該マークの長さに依存して制御される。マークの開始における条件は、先行するマークの書き込みに起因する事前加熱により異なることに注意されたい。特に、マークの開始におけるパワーは、斯かる事前加熱を補償するために、先行するスペースの長さに依存させられる。
【発明の開示】
【発明が解決しようとする課題】
【０００５】
問題は、上記マーク及びスペースの長さが期待値から逸脱することにある。
【０００６】
本発明の目的は、所望の長さに一致するようなマーク及びスペースを達成する記録装置及び対応する方法を提供することにある。
【課題を解決するための手段】
【０００７】
この目的のため、冒頭の段落で述べた装置は、前記書き込みの間において放射源のパワーをランレングスに依存するようなパワーパターンに従って制御する放射源制御手段を有し、長ランレングスのマークに対する該パワーパターンは、書込パワーを持つ少なくとも３つのパルスと、これらパルスの間のバイアスパワーを持つ少なくとも１つの第１中間期間と、これらパルスの間の低減されたバイアスパワーを持つ少なくとも１つの第２中間期間とを有し、該少なくとも１つの第２中間期間が当該パワーパターンの最後のパルスの前の中間期間を含む。
【０００８】
また、冒頭の段落で述べた方法は、前記書き込みの間において放射源のパワーをランレングスに依存するようなパワーパターンに従って制御するステップを有し、長ランレングスのマークに対する該パワーパターンは、書込パワーを持つ少なくとも３つのパルスと、これらパルスの間のバイアスパワーを持つ少なくとも１つの第１中間期間と、これらパルスの間の低減されたバイアスパワーを持つ少なくとも１つの第２中間期間とを有し、該少なくとも１つの第２中間期間が当該パワーパターンの最後のパルスの前の中間期間を含む。
【０００９】
斯かる対策の効果は、長いマークを書き込むために供給される全体的エネルギが、該長いマークの最終部分を形成する間に減少されるということである。前記書込パワーを持つパルスのパワーパターンにより、当該マークの最終部分は、実質的に公称的に必要とされるサイズを有して形成される点に注意されたい。しかしながら、上記の低減された全体的エネルギは、長いマークの後の次のマークの開始部における事前加熱を、バイアスパワーの低減を伴わないパワーパターンにより長いマークを書き込む場合に比較して、減少させる。
【００１０】
本発明は、下記のような認識に基づくものである。ジッタの測定のような、マークの偏差の測定が、記録されたマーク及びスペースの品質を検出するために使用される。国際特許出願公開第WO01/86643号は事前加熱の影響を先行するスペースの長さに応じて補償する方法を記載しているが、ジッタの測定は、スペースの単一の長さの場合でさえも驚くほど不満足な結果を示した。本発明者は、先行するマークの異なる長さが、結果として異なる量の事前加熱となり、これがジッタ値を増加させると理解した。事前加熱は、マークの最終部分から隣接するスペースを介して次のマークの開始部の領域へ伝達されるエネルギにより生じる。第２に、本発明者は、より長いマークの最終部分におけるエネルギの全体的量は、該長いマークのサイズに実質的に影響を与えることなしに減少させることができると理解した。斯かる長いマークの最終部分における低減された全体的エネルギは、短いマークと長いマークとにより生じる事前加熱の差を減少させる。
【００１１】
当該装置の一実施例においては、上記低減されるバイアスパワーがランレングスに応じて徐々に減少されるか、又は該低減されるバイアスパワーが少なくとも２つの減少されたパワーレベルを有する。バイアスパワーの低減される量を付加的に制御する効果は、より長いマークの間におけるエネルギ低減の更なる調整が可能とされる点にある。これは、異なる長さの長いマークに対する事前加熱の差が減少されるという利点を有している。
【００１２】
当該装置の一実施例においては、前記低減されたバイアスパワーは、当該パワーパターンの始点又は終点に対して所定の時点から適用される。これは、バイアスパワーの量に対して簡単な制御メカニズムが使用されるという利点を有している。更に、上記バイアスパワーは中間期間の間においても減少させることができる。
【００１３】
当該装置の一実施例においては、ランレングスの範囲内において、前記長ランレングスは最小ランレングスの略２倍である。実用的実施例において、最大の差は、最短のマークのサイズの約２倍までのマークの間で見いだされた。従って、これは最大の差が補償されるという利点を有している。
【００１４】
本発明の他の態様によれば、冒頭の段落で述べた記録担体は上述した方法により情報を記録するように構成され、該記録担体は上記の低減されたバイアスパワーを設定するための制御情報を有する。これは、前記パワーパターンでの放射源のパワーを、斯かる低減されたバイアスパワーに関する特定のパラメータが含まれることにより、当該記録担体の製造者により調整することができるという利点を有している。
【００１５】
他の有利な実施例は、従属請求項に記載されている。
【００１６】
本発明の上記及び他の態様は、添付図面を参照して下記記載において例示として説明される実施例から明らかとなると共に、斯かる実施例を参照して更に解説されるであろう。尚、各図における対応する要素は、同様の符号を有している。
【発明を実施するための最良の形態】
【００１７】
図１は、光記録担体上への記録過程を概念的に示す。記録装置は、ターンテーブル１と、ディスク状記録担体４を軸３の周りに矢印５により示される方向に回転させるための駆動モータ２とを有している。該記録担体はマーク８を記録するためのトラック１１を有し、このトラックは、光ヘッドを該トラックに対向して位置決めするためのサーボトラッキング信号を発生するサーボパターンにより突き止められる。該サーボパターンは、例えば浅いウォブリングされた溝（通常、プリグルーブと呼ばれる）及び／又は窪みのパターン（通常、プリピット若しくはサーボピットと呼ばれる）とすることができる。記録担体４は放射感知性記録層を有し、該記録層は、充分に高い強度の放射に曝されると、例えば反射率の変化等の光学的に検出可能な変化を受け、情報を表す記録パターンを構成するようなマーク８及び中間スペースを形成する。斯かるパターンにおける各エレメントは、ビットと呼ばれる単位で表された公称ランレングスを有する。これらランレングスは、通常はチャンネルコードと呼ばれる変調方法に従って当該情報を表す。
【００１８】
上記放射感知性層は例えば薄い金属層を有することができ、該金属層は比較的高い強度のレーザビームに曝すことにより局部的に除去することができる。他の例として、上記記録層は放射感知性染料又は相変化材料（該材料の構造は、放射の影響の下で、アモルファスから結晶性へ又はその逆に変化させることができる）等の何らかの他の材料からなることもできる。前記マークは、例えば染料、合金若しくは相変化材料等の材料に記録する間に得られる周囲から異なる反射係数を持つ領域の形態、又は光磁気材料に記録する間に得られる周囲から異なる磁化方向を持つ領域の形態等の、如何なる光学的に読み取り可能な形態とすることもできる。
【００１９】
光書込ヘッド６は、（回転する）記録担体のトラックに対向して配置される。該光書込ヘッド６は書込ビーム１３を発生するための、例えば固体レーザ等の放射源を有している。マークを生成するための書込パワーの制御は、記録されるべきマークのパターンに適合される（書込ストラテジと呼ばれる）。高密度記録においては、例えば書込パワーを書き込まれるべきマークの長さ及び／又は先行するスペースのサイズに依存して制御する等の、複雑な書込ストラテジが実施される。書込ストラテジにおける、時間及び記録されるべきマークに依存して書込パワーを決定するパラメータは、書込ストラテジのパワーパターンと呼ばれる。
【００２０】
書き込みのために、書込ビーム１３の強度は、制御信号Ｖｓにより上記パワーパターンに従って変調される。記録可能型ディスク用のパワーパターンにおける書込ビーム１３の強度は、マークを形成するために放射感知性記録担体の光学特性の検出可能な変化を生じさせるのに充分な書込パワーと、全ての２つのマークの間に中間領域（以下、スペースと呼ぶ）を形成するために、如何なる検出可能な変化も生じさせないような低い（又は零の）冷却パワーとの間で変化する。書換可能型ディスク上のスペースのためのパワーは、先に記録された如何なるマークも消去するように選定される（消去パワーと呼ばれる）。
【００２１】
読み取りに関しては、上記記録層は、強度が一定の強さの読取レベルにあるようなビーム１３により走査され、該一定の強さは光学特性の如何なる検出可能な変化も排除するほど充分に低い。走査の間に当該記録担体から反射される読取ビームは、走査されている情報パターンに従って変調される。該読取ビームの変調は、放射感知性検出器により慣例の様に検出することができ、該検出器は上記ビーム変調を示すような読取信号を発生する。
【００２２】
図２は、記録可能型ＤＶＤ又はＣＤ−Ｒ若しくはＣＤ−ＲＷ等の書込可能型若しくは書換可能型の記録担体４に対して情報を書き込み及び／又は読み取る記録装置を示している。該装置には上記記録担体上のトラックを走査する走査手段が設けられ、該手段は記録担体４を回転させる駆動ユニット２１と、ヘッド２２と、該ヘッドをトラック上でラジアル方向に粗に位置決めする位置決めユニット２５と、制御ユニット２０とを含んでいる。上記ヘッドは、放射ビーム２４を発生するために、レーザダイオード等の放射源と、光学系と、既知のタイプの付加的回路とを有している。上記放射ビームは、光学エレメントを介して案内され、当該記録担体における情報層のトラック上に放射スポット２３として収束される。上記ヘッドは、更に、放射ビーム２４の焦点を該ビームの光軸に沿って移動させるフォーカスアクチュエータと、上記スポット２３を当該トラックの中心上でラジアル方向に精細位置決めするトラッキングアクチュエータとを有している（図示略）。該トラッキングアクチュエータは、光学エレメントをラジアル方向に移動させるコイルを有することができるか、代わりに反射エレメントの角度を変化させるように構成することができる。情報を書き込むために、前記放射は、記録層に光学的に検出可能なマークを生成するように制御される。読み取りのために、上記情報層により反射された放射は上記光ヘッドにおける例えば四象限ダイオード等の通常のタイプの検出器により検出され、読取信号並びに上記トラッキング及びフォーカスアクチュエータを制御するためのトラッキングエラー信号及びフォーカスエラー信号を含むような他の検出器信号を発生する。上記読取信号は、当該情報を取り出すために、復調器、デフォーマッタ及び出力ユニットを含むような通常のタイプの読取処理ユニット３０により処理される。かくして、情報を読み取るための取り出し手段は、駆動ユニット２１、上記光ヘッド、位置決めユニット２５及び読取処理ユニット３０を含む。当該装置は、入力情報を処理して上記光ヘッドを駆動するための書込信号を発生する書込処理手段を有し、該手段は入力ユニット２７と、フォーマッタ２８と、レーザパワーユニット２９とを有している。制御ユニット２０は、情報の記録及び取り出しを制御するもので、ユーザから又はホストコンピュータからコマンドを入力するように構成することができる。制御ユニット２０は、例えばシステムバス等の制御ライン２６を介して入力ユニット２７、フォーマッタ２８及びレーザパワーユニット２９に接続されると共に、読取処理ユニット３０に接続され、更に駆動ユニット２１及び位置決めユニット２５に接続される。該制御ユニット２０は、書込及び／又は読取機能を果たすために、例えばマイクロプロセッサ等の制御回路、プログラムメモリ及び制御ゲートを有している。制御ユニット２０は、論理回路内の状態マシンとして実施化することもできる。
【００２３】
一実施例においては、当該記録装置は記憶装置のみ（例えば、コンピュータに使用する光ディスクドライブ）となる。制御ユニット２０は、標準化されたインターフェースを介してホストコンピュータ内の処理ユニットと通信するように構成される。デジタルデータはフォーマッタ２８及び読取処理ユニット３０に対して直接的にインターフェースされる。
【００２４】
一実施例においては、当該装置は独立型ユニット（例えば、消費者用途のビデオ記録装置）として構成される。制御ユニット２０又は当該装置に含まれる付加的ホスト制御ユニットは、ユーザにより直接制御されると共に、ファイル管理システムの機能を果たすように構成される。当該装置は、アプリケーションデータを処理する（例えば、オーディオ及び／又はビデオを処理する）回路を含む。ユーザ情報は入力ユニット２７に提供され、該ユニットはアナログオーディオ及び／又はビデオ、又はデジタル未圧縮オーディオ／ビデオ等の入力信号に対する圧縮手段を有することができる。適切な圧縮手段は、例えばオーディオに関しては国際特許出願公開第WO98/16014-A1号（出願人整理番号：PHN16452）に、ビデオに関してはＭＰＥＧ２規格に記載されている。入力ユニット２７はオーディオ及び／又はビデオデータを情報の単位へと処理し、これら情報単位はフォーマッタ２８に渡される。読取処理ユニット３０は適切なオーディオ及び／又はビデオ復号ユニットを有することができる。
【００２５】
フォーマッタ２８は、制御データを追加すると共に、例えばエラー訂正コード（ＥＣＣ）を追加し、インターリーブし、及びチャンネル符号化することにより記録フォーマットに従って当該データをフォーマット及び符号化するように構成されている。更に、フォーマッタ２８は、変調された信号に同期パターンを含める同期手段を有している。これらフォーマット化された単位は、アドレス情報を有し、制御ユニット２０の制御の下で当該記録担体上の対応するアドレス可能なロケーションに書き込まれる。フォーマッタ２８の出力端からのフォーマット化されたデータは、レーザパワーユニット２９に渡される。
【００２６】
レーザパワーユニット２９は、書き込まれるべきマークを示す上記フォーマット化されたデータを入力し、光ヘッドの放射源を駆動するレーザパワー制御信号を発生する。該レーザパワーは、以下に述べるように事前加熱を考慮に入れたパワーパターンに従って制御される。
【００２７】
事前加熱は、ライトワンス型光媒体（例えば、ＣＤ−Ｒ、ＤＶＤ＋Ｒ等）の記録においては既知の問題である。ＣＤ−Ｒ、ＤＶＤ−Ｒ及びＤＶＤ＋Ｒ等のライトワンス型光媒体は、今までのところ、大量のデータを記録するための最もポピュラーなフォーマットである。染料に基づくライトワンス型媒体の利点の１つは、既存のＲＯＭフォーマットとの高度の互換性である。データの記録は、一般的に、染料層における熱により誘起される変化によるものである。斯かる媒体の重要な性能目標は、記録速度及びデータ容量である。これら両パラメータを増加させる努力は、記録過程の間における一層大きな熱的干渉（即ち、一層高い速度及び一層高い密度による）につながり、特定のマークを形成するために要する熱が、一層短い冷却時間及び／又は一層短い距離の各々により隣接するマークに影響を与える。近年、二重積層のライトワンス型媒体が提案されている（ＤＶＤ＋Ｒ−ＤＬ）。光学的要件（半透明なＬ０及び高度に反射的Ｌ１）を満たすための斯かる積層に対する変更及び製造の容易化（反転されたＬ１）は、積層が事前加熱に対して一層敏感になる結果となった。
【００２８】
図３は、先行するマークに起因する事前加熱を示す。第１の例は、第１のマーク３１がスペース及び次のマーク３２により後続されるのを示している。第１のマーク３１の書き込みの間に或る量の熱が発生される。矢印は、第１の事前加熱３３が、相対的に短いスペースを介して次のマーク３２の始点に伝送されるのを示している。第２の例は、第３のマーク３４がスペース及び第４のマーク３６により後続されるのを示している。ここでも、第３のマーク３４の書き込みの間に上記或る量の熱が発生される。矢印は、第２の事前加熱３５が、相対的に長いスペースを介して第４のマーク３６の始点に伝送されるのを示している。より長いスペースにより、第２の事前加熱３５は第１の事前加熱３３より少ない。事前加熱は、一般的に、国際特許出願公開第WO01/86643号に記載されているように、前のスペースの長さに依存して書込パルスの最初のパワーレベルの高さを調整することにより、又は書込パルスの立ち上がり縁をずらすことにより防止される。これは、より短いスペースは当該積層部の不充分な冷却しか提供せず、記録されるべき当該位置が幾らか上昇された温度を有し、このような事前加熱は、より低い書込パワーレベルを付与することにより又は書込パルスを遅延させることにより補正することができるというアイデアに基づいている。
【００２９】
実験は、上記事前加熱の量が前のスペースの長さ（冷却）に依存するのみならず、先に記録されるマークの長さ（熱の蓄積）にも依存することを示した。
【００３０】
図４は、シンボル間干渉のグラフを示している。グラフ４１は、７Ｔマークの直後のスペース長（黒）と比較した全スペース長の分布（グレイ）を示している。表４２は、全てのスペースについてのランレングス３Ｔ〜１１Ｔのスペースの平均値、偏差パーセントδ／Ｔ[％]及びサンプル数Ｎ、並びに７Ｔマークに続く選択されたスペースの平均値Ave(sel)、偏差パーセントδ／Ｔ[％](sel)及びサンプル数Ｎ(sel)を示している。黒い部分は、７Ｔの後のスペースが短すぎることを示している。一般的に、同様の効果が長いマークに対して見られる。該効果は、（短すぎる）スペースに続く全てのマークが長すぎる（グラフでは、そのようには示されていない）ということにより説明することもできる。公称ランレングスのずれは、結果的にジッタレベルの上昇となる。この問題の主たる理由は、より長いマークの記録における熱の蓄積であると思われる。
【００３１】
図５は、熱の蓄積及び結果的事前加熱を示している。第１の例は、第１のマーク５１にスペース及び次のマーク５２が後続するのを示している。第１のマーク５１の書き込みの間に或る量の熱が発生される。矢印は、第１の事前加熱５３が、選択された長さのスペースを介して次のマーク５２の始点に伝送されるのを示している。第２の例は、第３のマーク５４にスペース及び第４のマーク５５が後続するのを示している。ここでも、第３のマーク５４の書き込みの間に或る量の熱が発生される。矢印は、第２の事前加熱５６が、同一の選択された長さのスペースを介して第４のマーク５５の始点に伝送されるのを示している。スペースの前の短い方のマーク５４は、第２の事前加熱５６を第１の事前加熱５３よりも小さくさせる。この問題に対する解決策は、より長いマークの最終部分の記録のための熱を可能な限り制限することである。
【００３２】
図６は、より長いマークにおいて低減されたバイアスパワーを持つような書込パワーパターンを示している。短いマークに対する第１のパワーパターン６１は、第１パルス６２に他のパルス６３が後続し、これらパルスは中間期間６４により分離されて、複パルスパワーパターンを構成している。上記各パルスは書込パワー６５の強度を有し、中間期間はバイアスパワー６６を有している。パワーパターンの間には冷却パワー６７が存在し、該冷却パワーは非常に低い（又は零である）。記録されるべきマークが或る長さ以上では、複パルスの間のバイアスレベルが低減される。長いマークの第２パワーパターン６８は、中間期間により分離された他のパルスにより後続されるような第１パルス６２を有している。該長いパワーパターンの間において、更なる中間期間６９は、幾らかの時間にわたり低減されたパワー７０を有している。より長いマークにおけるバイアスパワーレベルの該低減は、当該記録の間において、より少ない熱しか蓄積されないことを意味する。該長いマークに対するパワーパターンは、書込パワーを持つ４つ以上のパルス、パルス間の公称バイアスパワーを持つ２つの中間期間、及びパルス間の上記低減されたバイアスパワーを持つ２つの中間期間を有することに注意されたい。上記の低減されたバイアスパワーを持つ中間期間は、当該パワーパターンにおける最終パルスの前の中間期間を含む。
【００３３】
別の解決策は、複パルスのデューティサイクルを短くする（即ち、より短いパルス、且つ、より長い中間期間）か、又は複パルスの高さを低減する（即ち、或る時間後の低減された書込パワー）ことであろう。これらの解決策は、変調の悪化（長いマークの余り広範でない記録）になり得ることに注意されたい。
【００３４】
当該装置の実際的な実施例においては、低減されたバイアスパワーレベルを持つようなパワーパターンを用いる長いランレングスは、最小ランレングスの約２倍とする。例えば、最小ランレングスが３ランレングス（３Ｔ）長である場合、斯かる長いランレングスは、図７に例に示されるように、７ランレングス単位（７Ｔ）長となる。
【００３５】
当該装置の一実施例では、低減されるバイアスパワーは、ランレングスに依存して徐々に低減される。例えば、バイアスパワーは最初の中間期間では公称バイアスパワーで開始することができ、後続の期間は、続けて更に低減されたバイアスパワーを有することができる。他の例として、バイアスパワーの低減は、数ステップでのものとすることもできる（例えば、２つの低減されたバイアスパワーレベルを持つような低減されたバイアスパワー）。
【００３６】
当該装置の一実施例においては、低減されたバイアスパワーは、当該パワーパターンの始点又は終点に対して所定の時点から適用することができる。例えば、低減されたバイアスパワーへの変更が中間期間中に生じるとしても、バイアスパワーは、当該パワーパターンの開始から予め選定され数のクロックサイクル後に低減することができる。
【００３７】
当該装置の一実施例においては、パルス及び中間期間のデューティサイクルは略５０％である。当該パワーパターンは、通常は、デジタルクロック信号により達成される。従って、パワーレベルの変更はクロック信号間隔で発生する。５０％、３３％、２５％等のデューティサイクルは、容易に実現することができる。上記バイアスパワーに対する適切な値は書込パワーの４０％と５０％との間である一方、上記低減されたバイアスパワーは書込パワーの２０％と３５％との間である。
【００３８】
一実施例においては、スペースに対するパワーパターンは冷却パワーを持つような冷却期間を含み、該冷却パワーは、特には、書込パワーの１％未満である。
【００３９】
図７は、一連のランレングスに対するパワーパターンを示す。該図は、３Ｔ〜１４Ｔの範囲内のランレングスの各々に対する対応するパワーパターンを以下のような表記を用いて示している。８文字からなる１行は１ビット期間Ｔを示し、ここで、（ｗ）は書込パワーＰｗを示し、（ｂ）はバイアスパワーを示し、（ｒ）は低減されたバイアスパワーを示し、（ｃ）は冷却パワーを示す。公称バイアスレベル（ｂ）は０.４５＊Ｐｗであり、低減されたバイアスレベル（ｒ）は０.３＊Ｐｗである。パルスと中間期間とのデューティサイクルは５０％である。低減されたバイアスパワーは７Ｔ及びそれより長い長さに対して適用される。バイアスパワーの低減は、ランレングス７〜１４のパワーパターンにおけるビット５の始点で、即ち中間期間内で、起動されることに注意されたい。該例は、ＤＶＤ＋Ｒ−ＤＬ（デュアルレイヤ・ディスク）のＬ０に対する書込ストラテジとして試験された。
【００４０】
図８は、低減されたバイアスパワーを持つようなパワーパターンを使用したシンボル間干渉のグラフを示す。該図は、図４と同様の全スペース長分布を示すが、図７に示した改善された書込ストラテジ例を用いている。該シンボル間干渉（ＩＳＩ）のグラフは大幅に改善されている（０.４＊Ｐｗなる単一のバイアスレベルを用いた図４のＩＳＩグラフ参照）。この場合の改善は、１％少ないデータ／クロックのジッタである。
【００４１】
一実施例においては、当該記録担体は低減されたバイアスパワーを設定するための制御情報を有する。ウォブリングされたグルーブに制御情報を含める例は、米国特許第5,060,219号に記載されている。当該記録担体上のトラックの事前形成部分に含まれる制御パラメータは、書込パワー及びバイアスパワー、特には、上記低減されたバイアスパワーの値を示すことができる。一実施例において、該制御情報は、パワーパターンを詳細に示す、例えばバイアスパワーの低減が適用されるべき時間、又は異なる記録速度における低減されたバイアスパワーを示すことができる。
【００４２】
以上、本発明を主にＤＶＤ＋Ｒデュアルレイヤを用いた実施例を参照して説明したが、本発明は高速度Ｒ記録（ＤＶＤ＋Ｒ）及び高密度Ｒ媒体（ＤＶＤ＋Ｒ、ブルーレイディスクＢＤ−Ｒ）にも同様に有効であり得る。また、当該情報担体として光ディスクを説明したが、光カード又はテープ等の他の媒体も使用することができる。尚、この文書における“有する”なる用語は掲載されたもの以外の他の構成要素又はステップの存在を排除するものではなく、単数形で記載された構成要素は複数の斯かる構成要素の存在を排除するものではなく、如何なる符号も請求項の範囲を限定するものではなく、本発明はハードウェア及びソフトウェアの両方により実施化することができ、幾つかの“手段”はハードウェアの同一の品目により代表することができることに注意されたい。更に、本発明の範囲は上記実施例に限定されるものではなく、上述した各々の及び全ての新規なフィーチャ又はフィーチャの組み合わせに存するものである。
【図面の簡単な説明】
【００４３】
【図１】図１は、光記録担体上への記録過程を概略図示する。
【図２】図２は、記録装置を示す。
【図３】図３は、先行するマークによる事前加熱を示す。
【図４】図４は、シンボル間干渉のグラフを示す。
【図５】図５は、熱の蓄積及び結果的事前加熱を示す。
【図６】図６は、長いマークにおける低減されたバイアスパワーを持つ書込パワーパターンを示す。
【図７】図７は、一連のランレングスに対するパワーパターンを示す。
【図８】図８は、低減されたバイアスパワーを持つパワーパターンを使用した、シンボル間干渉のグラフを示す。
【図１】
2007507823.tif 000003
【図２】
2007507823.tif 000004
【図３】
2007507823.tif 000005
【図４】
2007507823.tif 000006
【図５】
2007507823.tif 000007
【図６】
2007507823.tif 000008
【図７】
2007507823.tif 000009
【図８】
2007507823.tif 000010
【国際調査報告】
2007507823.tif 000011
2007507823.tif 000012
2007507823.tif 000013